(57)【要約】【課題】  従来の磁石や遠赤外線放射物質により絶縁性を高めることにより節電効果を得る方法や、コンデンサーやインバーターにより節電する方法が開発されているが、効果の持続性や安定性や汎用性に問題があった。【解決手段】  本発明は、アルミニュームやステンレススティールや銅やチタンといった金属製テープに、特定の周波数の共鳴電磁波を、特定の温度条件下で、一定時間照射することにより、当該金属製テープ自体を，当該電磁波の転写体とし、電線被覆物質に取り付けることにより節電効果を発揮することを特徴とする節電テープとその製造方法を提供する。【選択図】図３
2015142123.tif 000002
【特許請求の範囲】
【請求項１】
アルミニュームやステンレススティールや銅やチタンの金属製テープに、特定の周波数の共鳴電磁波を、特定の温度条件下で、一定時間照射することにより、当該材料を，当該共鳴電磁波の転写体とし、当該材料を，当該電磁波の発振源とすることを特徴とする節電テープとその製造方法。
【請求項２】
請求項１に記載の特定の周波数は、３２〜３８テラヘルツであることを特徴とする節電テープとその製造方法。
【請求項３】
請求項１に記載の特定の温度条件は、摂氏２０度から９０度とすることを特徴とする節電テープとその製造方法。
【請求項４】
請求項１に記載の一定時間照射を、２〜１２時間とすることを特徴とする節電テープとその製造方法。
【発明の詳細な説明】
【技術分野】
【０００１】  本発明は、３２〜３８テラヘルツの共鳴電磁波を、アルミニュームやステンレススティールや銅やチタンといった金属製テープに照射することにより、当該材料自体を当該共鳴電磁波の発振体とする節電テープとその製造方法を提供する。
【背景技術】
【０００２】  従来、節電のために、遠赤外線を放射する物質や磁石を被覆電線や配線器具の外側に取り付けることにより絶縁状態を改善する方法が提案されている。【０００３】  また、コンデンサーやインバータを利用して節電する方法も提案されている。
【特許文献１】  特開２００６−２０２７７７
【特許文献２】  特開２００６−３１４１９３
【特許文献３】  特開２０１０−１９７０３７
【特許文献４】  特開２０００−５８３３８
【発明の概要】
【発明が解決しようとする課題】
【０００４】  従来の、節電具は、絶縁状態を改善する方法で、無駄な熱損失を減らすことを目的としたものがほとんどで、遠赤外線の周波数や磁力の大きさに問題があって効果が得られないという問題があった。【０００５】  また、コンデンサーやインバータを用いた節電装置も開発されているが、装置が大型化し汎用性やコストに問題があった。
【課題を解決するための手段】
【０００６】  このような課題を解決するために本発明者は、３２〜３８テラヘルツの共鳴電磁波を、２〜１２時間、２０℃〜９０℃の温度条件下で、アルミニュームやステンレススティールや銅やチタンといった金属製テープに照射することで、当該テープ自体が当該共鳴電磁波の転写体となり、自らが当該共鳴電磁波の発射体となることを見出し、本発明をなすに至った。【０００７】  すなわち、本発明では、３２〜３８テラヘルツの共鳴電磁波を放射する物質と、アルミニュームやステンレススティールや銅やチタンといった金属製テープを近接させ、２０℃〜９０℃の温度条件下で、２〜１２時間放置し、当該共鳴電磁波の放射体から発射される電磁波を、当該テープに転写し、共振作用により、当該テープ自体を当該共鳴電磁波の放射体とする。【０００８】  アルミニュームやステンレススティールや銅やチタンといった金属製テープ自体を共鳴電磁波の放射体とすることで、当該テープを、被覆電線や配線器具の外側に取り付けるだけで、直接導電部に接触することなく、導電部に当該共鳴電磁波を照射することができる。【０００９】  また、アルミニュームやステンレススティールや銅やチタンといった金属製テープから放射される共鳴電磁波の周波数を３２〜３８テラヘルツとすることで、電線を流れる電流の細かい電子の振動による熱振動や格子欠陥を除去または減少することができる。
【発明の効果】
【００１０】  本発明によれば、効果が明確で持続性の高い３２〜３８テラヘルツの共鳴電磁波を放射するアルミニュームやステンレススティールや銅やチタンといった金属製の節電テープとその製造方法を、簡便な方法で、低コストで提供できる。【００１１】  本発明による節電テープから放射される３２〜３８テラヘルツの共鳴電磁波は、プラスチックや金属製の容器を透過または転写を繰り返すことで、内部の導電体を流れる電流に照射される。【００１２】  当該電磁波は、電子の流れである電流に乗っている電子のノイズを除去したり、減少する。【００１３】  電流に乗った細かいノイズは電気抵抗を大きくし、熱損失を増やすので、当該ノイズを除去または減少させることにより、熱損失を抑制することが出来、節電効果が得られる。
【発明を実施するための形態】
【００１４】  以下、本発明の実施形態について図面を参照しながら詳細に説明する。
図１は、共鳴電磁波をアルミニュームやステンレススティールや銅やチタンといった金属製テープに照射する装置の概念の縦断面を示す。図２は、図２のＡ矢視を示す。
図３は、本発明の節電テープの取り付方法の縦断面を示す。
【００１５】  図１及び図２に示すように、共鳴電磁波発振体１を、アルミニュームやステンレススティールや銅やチタンといった金属製テープ２に密着するようにして配置し、当該発振体１から放射される３２〜３８テラヘルツの共鳴電磁波３を当該金属材料２に２〜１２時間照射する。
【００１６】  当該共鳴電磁波発振体１の上または下または両方には２０℃〜９０℃の温度調節が可能なヒーター４が設けられていて、３２〜３８テラヘルツの共鳴電磁波３を当該金属製テープ２に効率良く放射できる。
【００１７】  当該電磁波３を、規定温度条件下で、規定時間照射された当該金属製テープ２は、当該金属製テープ２を構成する分子の軌道を回る電子が共振励起され、当該金属製テープ自体が、共鳴電磁波３の発振源となり、様々な共鳴電磁波効果を発揮する節電テープ１２となる。
【００１８】  当該節電テープ１２を、電線１１の被覆１３に取りつけると、当該節電テープ１２から放射される共鳴電磁波１４で、電線１１を流れる電流に乗った電子の細かいノイズである熱振動が除去または減少される。
【００１９】  電流に乗った電子の細かいノイズは電気抵抗を大きくし、熱損失を増やすので、当該ノイズを除去または減少させることにより、通電による熱損失を抑制することが出来、節電効果が得られる。
【実施例】
【００２０】  冷暖房負荷がなく比較的電気使用料の安定する４月、５月、１０月に本発明の節電テープを主配電盤の入力電線に巻きつけてテストを行い、１年前の同月の電気使用量と比較したところ、いずれの月でも約３５％の節電効果が確認された。通して下記の効果が確認されている。
【産業上の利用可能な分野】
【００２１】  本発明は、住宅や事務所や店舗や工場といった電力使用者ばかりでなく、送電線に応用することで送電損失を抑えることができ、電力産業全体で節電に役立てることができる。
【図面の簡単な説明】
【００２２】
【図１】は、共鳴電磁波をアルミニュームやステンレススティールや銅やチタンといった金属製テープに照射する装置の概念の縦断面を示す。
【図２】は、図２のＡ矢視を示す。
【図３】は、本発明の節電テープの取り付方法の縦断面を示す。
【符号の説明】
【００２３】１    共鳴電磁波発振体
２    アルミニューム等金属製テープ
３    共鳴電磁波
４    ヒーター
１１  電線
１２  節電テープ
１３  被覆
１４  共鳴電磁波
【図１】
2015142123.tif 000003
【図２】
2015142123.tif 000004
【図３】
2015142123.tif 000005